(57)【要約】【課題】 アドレス設定に制限のある装置をＬＡＮに接続した場合、径路指定機能を持たずに同報通信使用を前提とした装置を、他の目的で使用される汎用ＮＷを介して相互接続させることができない。【解決手段】  汎用ＮＷ送信部は、受信パケット種別がアドレス情報パケットであれば、通信パケット内の送信元アドレスと一致する項目があるか判定する。一致項目があれば、送信元アドレスを取得して格納する。一致項目がなければ、端末アドレスとＮＷアドレスを格納する。続いて汎用ＮＷ送信部は送信先アドレス部を参照し、同報送信であれば、予め登録された数だけループし、受信したアドレス要求パケットをテーブル内のＮＷアドレスに送信するよう、汎用ＮＷ側の通信ドライバに依頼する。同報送信でなければ通信パケットの送信先アドレスを参照し、一致すればアドレス格納部に格納されているＮＷアドレスに送信するよう、ドライバに依頼する。【選択図】    図８
2005045688.tif 000002
【特許請求の範囲】
【請求項１】
各々配下に少なくとも１つの端末を有する複数のローカルエリアネットワークがそれぞれルータを介して汎用ネットワークに接続され、前記ルータは各々が前記汎用ネットワークを介して接続される他ルータのアドレスを登録したルータエントリーテーブルを有してなるネットワークシステムにおいて、
前記複数のローカルエリアネットワーク配下の任意端末からアドレス要求パケットを同報送信するステップと、前記アドレス要求パケットを同報送信した端末と同一のローカルネットワーク上に存在する端末が、前記アドレス要求パケットに応じて自装置のアドレス情報パケットを同報送信するステップと、
前記アドレス要求パケットを同報送信した端末を有するローカルエリアネットワークと前記汎用ネットワークを繋ぐルータが、前記アドレス情報パケット内の送信先端末装置アドレス情報より、送られてきたのが同報送信パケットであることを認識するステップと、
受信したアドレス要求パケットを前記ルータエントリーテーブルの登録内容に従って、前記汎用ネットワークを介して接続される他ルータへ配信するステップと、
前記アドレス要求パケットを受信した他ルータが、該パケット内の送信先端末装置アドレス情報より同報送信パケットであることを認識して、自らを介して前記汎用ネットワークと接続されるローカルネットワーク配下の端末に同報送信し、該ローカルネットワーク上の端末は、前記アドレスス要求パケットを受信し、その応答として応答アドレス情報パケットを同報送信するステップと、
前記応答アドレス情報パケットを送信した端末を有するローカルエリアネットワークと前記汎用ネットワークを繋ぐルータが、該応答アドレス情報パケットのパケット種別を参照し、アドレス情報パケットであることを認識し、ルータエントリーテーブルに従って、汎用ネットワークを介して他ルータへ配信するステップと、
前記汎用ネットワークを介して前記応答アドレス情報パケットを受信したルータは、該応答アドレス情報パケットのパケット種別を参照し、アドレス情報パケットであることを認識し、自らを介して前記汎用ネットワークと接続されるローカルネットワーク配下の端末に同報送信し、
該応答アドレス情報パケットを受信した端末が、ネットワークアドレス対応テーブルに、アドレス情報パケット内送信元端末装置アドレスと、送信元ネットワークアドレスを設定するステップとからなることを特徴とする、ローカルネットワーク接続拡張ルーティングの設定方法。
【請求項２】
前記ローカルエリアネットワーク配下に属する第１の端末から、他のローカルエリアネットワーク配下に属する第２の端末に対してパケット送信をする際に、
前記第１の端末のネットワークアドレス対応テーブルに基づいて、パケットが該第１の端末が属するローカルエリアネットワークに対応するルータへ送信された際、該ルータは、前記パケット内の送信先端末装置アドレスを参照して同報送信パケットか否かを確認するステップと、
前記パケットが同報送信パケットでない場合、前記ルーティング情報テーブルを参照し、該ルーティング情報テーブルに格納された送信先アドレスに該当する装置を配下に有する特定のルータに宛ててパケットを送信するステップと、
前記パケットが同報送信パケットである場合、該同報送信パケットをルータエントリーテーブルに従って、汎用ネットワーク上の全ルータへ同報配信するステップとからなることを特徴とする、ローカルエリアネットワーク接続拡張ルーティングの接続方法。
【発明の詳細な説明】
【技術分野】
【０００１】
本発明は、単一の閉じたローカルネットワークに接続され、同報送信方式を使用することを前提とした装置から構成されるネットワークを、他の目的の為に使用されている汎用ネットワークを介して複数接続し単一のネットワークとして運用するためのルータユニットに関し、特に汎用ネットワークを介したローカルネットワークに接続された装置間の同報通信を、汎用ネットワークに接続された他の装置に影響を及ぼさずに行う方法に関する。
【背景技術】
【０００２】
複数のネットワーク同士を接続する目的の装置として、ルータとブリッジを挙げることができる。ルータ、ブリッジともに、図１に示すように、２つにネットワークを相互接続するために用いられる。ルータは複数のネットワークを越えて通信するようにアドレス変換、代理応答等を行う。ブリッジは、アドレス変換等のフレームの再構成は行わず、ブリッジで接続された２つのネットワークは同一ネットワークとしての扱いを受ける。
【０００３】
【特許文献１】特開平８−５１４５４号公報
【発明の開示】
【発明が解決しようとする課題】
【０００４】
従来のルータでは、アドレス変換を行うことで、特定の２ノード間の経路を決定する通信を行うことが目的であり、同報送信はアドレス検索のために使用される。そのためアプリケーションによる同報送信パケットは、宛先アドレスが特定されておらず、目的の端末への到達が保証されない。
【０００５】
またブリッジでは、中継する全てのネットワークで同報送信を行うため、中継するネットワーク上の関係の無い装置まで、同報送信パケットを受信することとなる。
【０００６】
さらに前述の装置によるネットワークを、同一の既設ネットワーク上に複数セット構築する場合は、 各々の装置のアドレスが重複してしまって接続できなくなるという不具合を生ずる。
【０００７】
本発明の目的は、アドレス設定に制限のある装置を専用の閉じたローカルネットワークに接続され径路指定機能を持たずに同報通信を使用する事を前提に設計された装置を他の目的の為に使用されている汎用ネットワークを介して相互接続する方法を提供することにある。また、本発明の他の目的は、上述の装置によるネットワークを同一の汎用ネットワーク上に互いに干渉せずに複数セット構築する方法を提供することにある。
【課題を解決するための手段】
【０００８】
以上の課題を鑑み、本発明のローカルネットワーク接続拡張ルーティングの設定方法は、各々配下に少なくとも１つの端末を有する複数のローカルエリアネットワークがそれぞれルータを介して汎用ネットワークに接続され、前記ルータは各々が前記汎用ネットワークを介して接続される他ルータのアドレスを登録したルータエントリーテーブルを有してなるネットワークシステムにおいて、
前記複数のローカルエリアネットワーク配下の任意端末からアドレス要求パケットを同報送信するステップと、前記アドレス要求パケットを同報送信した端末と同一のローカルネットワーク上に存在する端末が、前記アドレス要求パケットに応じて自装置のアドレス情報パケットを同報送信するステップと、前記アドレス要求パケットを同報送信した端末を有するローカルエリアネットワークと前記汎用ネットワークを繋ぐルータが、前記アドレス情報パケット内の送信先端末装置アドレス情報より、送られてきたのが同報送信パケットであることを認識するステップと、受信したアドレス要求パケットを前記ルータエントリーテーブルの登録内容に従って、前記汎用ネットワークを介して接続される他ルータへ配信するステップと、前記アドレス要求パケットを受信した他ルータが、該パケット内の送信先端末装置アドレス情報より同報送信パケットであることを認識して、自らを介して前記汎用ネットワークと接続されるローカルネットワーク配下の端末に同報送信し、該ローカルネットワーク上の端末は、前記アドレスス要求パケットを受信し、その応答として応答アドレス情報パケットを同報送信するステップと、前記応答アドレス情報パケットを送信した端末を有するローカルエリアネットワークと前記汎用ネットワークを繋ぐルータが、該応答アドレス情報パケットのパケット種別を参照し、アドレス情報パケットであることを認識し、ルータエントリーテーブルに従って、汎用ネットワークを介して他ルータへ配信するステップと、前記汎用ネットワークを介して前記応答アドレス情報パケットを受信したルータは、該応答アドレス情報パケットのパケット種別を参照し、アドレス情報パケットであることを認識し、自らを介して前記汎用ネットワークと接続されるローカルネットワーク配下の端末に同報送信し、該応答アドレス情報パケットを受信した端末が、ネットワークアドレス対応テーブルに、アドレス情報パケット内送信元端末装置アドレスと、送信元ネットワークアドレスを設定するステップとからなることを特徴としている。
【０００９】
また、本発明のローカルエリアネットワーク接続拡張ルーティングの接続方法は、前記ローカルエリアネットワーク配下に属する第１の端末から、他のローカルエリアネットワーク配下に属する第２の端末に対してパケット送信をする際に、前記第１の端末のネットワークアドレス対応テーブルに基づいて、パケットが該第１の端末が属するローカルエリアネットワークに対応するルータへ送信された際、該ルータは、前記パケット内の送信先端末装置アドレスを参照して同報送信パケットか否かを確認するステップと、前記パケットが同報送信パケットでない場合、前記ルーティング情報テーブルを参照し、該ルーティング情報テーブルに格納された送信先アドレスに該当する装置を配下に有する特定のルータに宛ててパケットを送信するステップと、前記パケットが同報送信パケットである場合、該同報送信パケットをルータエントリーテーブルに従って、汎用ネットワーク上の全ルータへ同報配信するステップとからなることを特徴としている。
【発明の効果】
【００１０】
以上説明したように、本発明のローカルネットワーク接続拡張ルーティングの設定方法及び接続方法は、以下に挙げるような効果を奏する。
【００１１】
まず第１に、ルータを介した接続が可能になるため、閉じたネットワークを前提とした装置を汎用ネットワークによる接続が可能となり、地理的に広範囲となるシステムにおいても、同装置が利用可能となるという効果を奏する。
【００１２】
第２に、ローカルネットワーク内にて、同報送信されたパケットが、ルータ間通信では同報送信されずに、登録された各々のルータへ配信され、汎用ネットワーク上の他の端末、機器等に影響を与えないため、既存の他の用途で使用されているネットワークに、新しい他のネットワークを安全に構築することが可能となるという効果を奏する。
【００１３】
第３に、異なるネットワークシステム上の端末装置同士でアドレスが重複していても、汎用ネットワーク上の他のルータは、あらかじめ登録されたルータ以外とは通信しないため、全く同様のシステム、 ローカルネットワーク内にて、同報送信されたパケットがルータ間通信では同報送信されずに、登録された各々のルータへ配信され、汎用ネットワーク上の他の端末、機器等に影響を及ぼさないという効果を奏する。
【００１４】
第４に、本発明のルータ及び端末装置における通信部はアプリケーション層で実現できるので、様々なネットワークプロトコルへ応用が可能となるという効果を奏する。  
【発明を実施するための最良の形態】
【００１５】
本発明を実施するための最良の形態は、汎用ネットワークとローカルネットワークの仲介機能を備えたルータと、ローカルネットワークに接続される、端末装置における通信部により実現されている。本発明のルータ及び端末装置による接続形態を図２に示す。
【００１６】
図２において、端末装置００１〜００９は、立ち上がり時に自装置のアドレス情報パケットを同報送信し、また、ネットワーク上の他端末装置の構成を知るために、アドレス要求パケットも同報送信する。同図において、ルータ０１０〜０１２はローカルネットワーク上の端末装置からのパケットを汎用ネットワーク上の他ルータに送信する。この際各ルータは、汎用ネットワーク上では同報送信せずに、他ルータの１つ１つに対して個別に送信する。このため、同図における他装置０１３、０１４に影響が及ぶことはない。
【００１７】
続いて、本発明の動作原理について詳細に説明する。
【００１８】
図３は、端末装置間の通信パケットの原理説明図である。同図の通信パケット０２０は、任意のネットワークプロトコル情報が格納されているヘッダ部０２１と端末装置のアプリケーションデータ０２２を備える。さらにアプリケーションデータ０２２は、使用するネットワークプロトコルによるネットワークアドレスとは独立した送信先端末装置アドレス部０２３と、送信元端末送信アドレス部０２４とパケット種別０２５によって構成されている。
【００１９】
図４は端末装置における本発明の通信部の原理説明図である。 端末装置０３０は通信部０３１とアプリケーション部０３２を備え、通信部０３１は、通信ドライバ部０３３と、ネットワーク上の端末のネットワークアドレスを設定するアドレス設定部０３４と、ネットワークアドレス対応テーブル０３５と、ネットワークアドレス対応テーブル０３５に従って、パケットを送信するパケット送信部０３６を備えてなる。ネットワーク対応テーブル０３５は、端末装置アドレス格納部０３７と、ネットワークアドレス格納部０３８を備える。
【００２０】
図５は本発明のルータの原理説明図である。ルータ０４０は、汎用ネットワーク側通信ドライバ部０４１と、ローカルネットワーク側通信ドライバ部０４２と、汎用ネットワーク上に接続された他のルータのアドレスを登録するルータエントリーテーブル０４３と、パケット内の特定のフィールド内の情報により、ルーティング情報を獲得するルーティング情報生成部０４４と、ルーティング情報テーブル０４５と、パケット内の送信先端末装置アドレスとルーティング情報に基づき、汎用ネットワーク上の送信先ルータを決定する汎用ネットワーク送信部０４６と、パケット内の特定の送信先端末装置アドレスとルーティング情報に基づき、ローカルネットワーク上の送信先装置を決定しパケットを送信するローカルネットワーク送信部０４７を備える、ルーティング情報テーブル０４５は、端末装置アドレス格納部０４８と、ネットワークアドレス格納部０４９を備える。
【００２１】
次に、図６のフローチャートを参照し、端末装置における本発明の通信部のパケット受信時の動作について説明する。
【００２２】
ネットワークアドレス取得部０３３は、通信パケット０２０内のパケット種別部０２５を参照する（ステップ０５１）。
【００２３】
パケット種別がアドレス情報パケットであれば、ネットワークアドレス対応テーブル０３３内の端末装置アドレス格納部０３７から、通信ドライバより受信した通信パケット０２０内の送信元端末装置アドレス０２４と一致する項目を検索する（ステップ０５２）。
【００２４】
一致する項目があれば、通信パケット０２０内のヘッダ部より送信元ネットワークアドレスを取得し、対応するネットワークアドレス格納部０３８に格納する（ステップ０５４）。一致する項目が見つからない場合は項目を追加し、端末装置アドレスとネットワークアドレスを対応するネットワークアドレス格納部０３８に格納する（ステップ０５５）。この後、通信パケット０２０をアプリケーション部０３２に渡して（ステップ０５６）、終了する。
【００２５】
続いて図７のフローチャートを参照し、端末装置における本発明の通信部のパケット送信時における動作を説明する。
【００２６】
パケット送信部０３６は、アプリケーション部０３２からの送信要求により、アプリケーション部０３２から渡された通信パケット０２０内送信先端末装置アドレス部０２３を参照する（ステップ０６１）。同報送信以外であれば、ネットワークアドレス対応テーブル０３３内の端末装置アドレス格納部０３７より、通信パケット０２０内の送信先端末装置アドレス０２３と一致する項目を検索する（ステップ０６２）。ここで一致する項目があれば、対応するネットワークアドレス格納部０３８に格納されているネットワークアドレスにパケットを送信するように、  通信パケット０２０が同報送信パケットであれば、パケットを同報送信するように通信ドライバ部０３３に依頼する（ステップ０６４及びステップ０６５）。
【００２７】
続いて図８のフローチャートを参照し、本発明のルータがローカルネットワーク上の端末装置からのパケット受信を受信する時の動作を説明する。
【００２８】
汎用ネットワーク送信部０４６は、ローカルネットワーク側通信ドライバ０４２から通信パケット０２０を受け取る（ステップ０７０）。しかる後汎用ネットワーク送信部０４６は、受信した通信パケット０２０内のパケット種別０２５を参照する（ステップ０７１）。ヘッダ部パケット種別がアドレス情報パケットであれば、ルーティング情報テーブル０４５内の端末装置アドレス格納部０４８より、通信ドライバより受信した通信パケット０２０内の送信元端末装置アドレス０２４と一致する項目を検索する（ステップ０７２）。
【００２９】
一致する項目があれば、通信パケット０２０内のヘッダ部より送信元ネットワークアドレスを取得し、対応するネットワークアドレス格納部０４９に格納する（ステップ０７５）。一致する項目が見つからない場合は、項目を追加し、端末装置アドレスと、ネットワークアドレスを対応するネットワークアドレス格納部０４９に格納する（ステップ０７４）。
【００３０】
続いて通信パケット０２０内の送信先端末装置アドレス部０２３を参照する（ステップ０７６）。これが同報送信であれば、ルータエントリーテーブル０４３に登録された登録数分ループし、受信したアドレス要求パケットをルータエントリーテーブル０４３に格納されているネットワークアドレスに送信するよう、汎用ネットワーク側通信ドライバに依頼する（ステップ０８０）。同報送信以外であれば、ルーティング情報テーブル０４５より、通信パケット０２０内の送信先端末装置アドレスと一致する項目を検索する（ステップ０７７）。この際一致する項目があれば、ルーティング情報テーブル０４５内のネットワークアドレス格納部０４９に格納されているネットワークアドレスに対してパケットを送信するよう、汎用ネットワーク側通信ドライバ０４１に依頼する（ステップ０８１）。
【００３１】
次に図９のフローチャートを参照し、本発明のルータが汎用ネットワーク上の他ルータからのパケット受信時の動作を説明する。ローカルネットワーク送信部０４７は、汎用ネットワーク側通信ドライバ０４１から通信パケット０２０を受け取る（ステップ０９０）。ローカルネットワーク送信部０４７は、受信した通信パケット０２０内のパケット種別０２５を参照する（ステップ０９１）。
【００３２】
パケット種別がアドレス情報パケットであれば、送信元端末装置アドレス０２４と、ヘッダ部パケット種別がアドレス情報パケットであれば、ルーティング情報テーブル０４５内の端末装置アドレス格納部０４８より、通信ドライバより受信した通信パケット０２０内の送信元端末装置アドレス０２４と一致する項目を検索する（ステップ０９２）。
【００３３】
一致する項目があれば、通信パケット０２０内のヘッダ部より送信元ネットワークアドレスを取得し、対応するネットワークアドレス格納部０４９に格納する（ステップ０９５）。一致する項目が見つからない場合は、項目を追加し、端末装置アドレスと、ネットワークアドレスを格納する（ステップ０９４）。そして通信パケット０２０内の送信先端末装置アドレス部０２３を参照する（ステップ０９６）。
【００３４】
同報送信であれば、パケットを同報送信するようにローカルネットワーク側通信ドライバ０４２に依頼する（ステップ０９９）。同報送信以外であれば、ルーティング情報テーブル０４５より、通信パケット０２０内の送信先端末装置アドレスと一致する項目を検索する（ステップ０
９７）。一致する項目があれば、対応するネットワークアドレス格納部０４９に格納されているネットワークアドレスにパケットを送信するように、ローカルネットワーク側通信ドライバ０４２に依頼する（ステップ１００）。
【００３５】
図１０を参照すると、本発明の第１の実施形態は、汎用ネットワーク１１０と、ローカルネットワーク１１１と、ローカルネットワーク１１２と、ローカルネットワーク１１３と、ルータ２１０と、ルータ２２０と、ルータ２３０により構成されている。
【００３６】
ローカルネットワーク１１１には装置２１１、装置２１２、装置２１３が、ローカルネットワーク１１２には装置２２１、装置２２２、装置２２３がそれぞれ接続されている。そしてローカルネットワーク１１３には、装置２３１、装置２３２、装置２３３が接続されている。
【００３７】
各装置には、固有のアドレス及び固有のＩＰアドレスが割り振られている。まず、ローカルネットワーク１１１に接続された端末装置２１１の立ち上げ動作時について説明する。
【００３８】
ルータ２１０のルータエントリーテーブル３１０に、汎用ネットワーク上で通信を行う他のルータのアドレスを登録する。本実施形態のルータ２１０と、ルータ２２０と、ルータ２３０の設定値は各々３１０、３２０、３３０であるものとする。
【００３９】
端末装置２１１は立ち上がり時に、ネットワーク内の全端末装置のアドレスを獲得するため、アドレス要求パケットを同報送信する。アドレス要求パケットを送信した端末装置２１１と同一のローカルネットワーク１１１上の端末装置２１２及び端末装置２１３は、自装置のアドレス情報パケットを同報送信する。
【００４０】
ルータ２１０は、パケット内の送信先端末装置アドレス情報より、送られてきたのが同報送信パケットであることを認識する。しかる後にルータ２１０は、受信したアドレス要求パケットをルータエントリーテーブル３１０の登録内容に従って、汎用ネットワーク１００上のルータ２２０及びルータ２３０へ配信する。
【００４１】
ルータ２２０は、受信したパケットがパケット内の送信先端末装置アドレス情報より同報送信パケットであることを認識し、これをローカルネットワーク１１２上に同報送信する。ローカルネットワーク１１２上の端末装置２２１、端末装置２２２、及び端末装置２２３は、アドレス要求パケットを受信し、その応答としてアドレス情報パケットを同報送信する。このアドレス情報パケットを受信したルータ２２０は、パケット内パケット種別を参照し、アドレス情報パケットであることを認識する。この後ルータ２２０は、受信したアドレス情報パケットを、ルータエントリーテーブルに従って、汎用ネットワーク１００上のルータ２１０とルータ２３０へ配信する。
【００４２】
汎用ネットワーク２２０からアドレス情報パケットを受信したルータ２１０とルータ２３０は、パケット内パケット種別を参照し、アドレス情報パケットであることを認識する。ルータ２１０は、パケット内の送信先端末装置アドレスより、同報送信パケットであることを認識する。
【００４３】
さらにルータ２１０は、受信パケットをローカルネットワーク１１１上に同報送信する。アドレス情報パケットを受信した端末装置２１１、端末装置２１２、及び端末装置２１３は、ネットワークアドレス対応テーブルに、アドレス情報パケット内送信元端末装置アドレスと、送信元ネットワークアドレスを設定する。この際、既にルータ２１０からアドレス情報パケットを受信しているため、ネットワークアドレスにはルータ２１０のＩＰアドレスが設定される。
【００４４】
同様に、ローカルネットワーク１１３上の各端末装置もアドレス要求パケットを受信し、その応答としてアドレス情報パケットを同報送信し、ルータ２３０から、アドレス情報パケットが、汎用ネットワーク１００上のルータ２１０とルータ２２０へ配信され、ローカルネットワーク１１１とローカルネットワーク１１２上にアドレス情報パケットが同報送信される。
【００４５】
以上、同様の手順により、全ての端末装置の立ち上げ処理完了時、各々の端末装置のネットワークアドレス対応テーブルは及び、各々のルータのルーティングテーブルが設定される。一例として、図１０における端末装置２３１のネットワークアドレス対応テーブルと、ルータ２３０のルーティングテーブルを図１１に示す。
【００４６】
次に図１１を参照して、立ち上げが完了した後の、運用時のパケット送受信の動作を説明する。
【００４７】
端末装置２１１から端末装置２３２へパケットを送信する場合の動作を説明する。端末装置２１１のネットワークアドレス対応テーブルに基づいて、パケットはルータ２１０へ送信される。 ルータ２１０は、パケット内の送信先端末装置アドレスにより、同報送信パケットでないことを認識し、ルーティング情報テーブルを参照し、送信先アドレスに該当する装置を配下に有するルータ２３０に対してパケットを送信する。このパケットを受信したルータ２３０は、同様にルーティング情報テーブルを参照し、端末装置２３２にパケットを送信する。
【００４８】
次に端末装置２１１から同報送信パケットが送信された場合を説明する。ルータ２１０は、パケット内の送信先端末装置アドレスより同報送信パケットであることを認識する。その後ルータ２１０は、受信したパケットをルータエントリーテーブルに従って、汎用ネットワーク上のルータ２２０及びルータ２３０へ配信する。このパケットを受信したルータ２２０は、パケット内の送信先端末装置アドレスより同報送信パケットであることを認識する。さらにルータ２２０は、受信したパケットをローカルネットワーク１１２上へ同報送信する。ルータ２３０も同様に、パケット内の送信先端末装置アドレスより同報送信パケットであることを認識する。最後にルータ２３０は、受信したパケットをローカルネットワーク１１３上へ同報送信する。
【図面の簡単な説明】
【００４９】
【図１】ルータおよびブリッジの概念を示す説明図である。
【図２】本発明のルータ及び端末装置によるの接続形態を示すブロック図である。
【図３】端末装置間の通信パケットの構成を示す図である。
【図４】端末装置における通信部の詳細構成を示す要部ブロック図である。
【図５】ルータの詳細構成を示す要部ブロック図である
【図６】通信部のパケット受信時の動作を示すフローチャートである。
【図７】通信部のパケット送信時の動作を示すフローチャートである。
【図８】ルータのローカルネットワークからパケットを受信し、汎用ネットワークへ送信するフローチャートである。
【図９】ルータの汎用ネットワークからパケットを受信し、ローカルネットワークへ送信するフローチャートである。
【図１０】ネットワークアドレス対応テーブルの構成を示す図である。
【図１１】ルーティングテーブルの構成を示す図である。
【符号の説明】
【００５０】
１〜９    端末装置  
１０    ルータ
１１    ルータ
１２    ルータ
１１０〜１１３    ネットワーク
２１０    ルータ
２１１〜２１３    端末装置
２２０    ルータ
２２１〜２２３    端末装置
２３０    ルータ
２３１〜２３３    端末装置
【図１】
2005045688.tif 000003
【図２】
2005045688.tif 000004
【図３】
2005045688.tif 000005
【図４】
2005045688.tif 000006
【図５】
2005045688.tif 000007
【図６】
2005045688.tif 000008
【図７】
2005045688.tif 000009
【図８】
2005045688.tif 000010
【図９】
2005045688.tif 000011
【図１０】
2005045688.tif 000012
【図１１】
2005045688.tif 000013